(57)【要約】【課題】折曲板のヒンジ部分の破損等を防止することのできる折り畳み式運搬用容器を提供する。【解決手段】本発明は、底板２と、底板２の上方に位置する口枠１と、底板２と口枠１との間で起立するように構成される複数の側板とを備える折り畳み式運搬用容器である。複数の側板は、内側に折り曲げ可能な折曲板４を含む。折曲板４は、合成樹脂板材４５の上下方向の中間部分に、互いに平行な一対の切り込み４５８を形成し、一対の切り込み切り込み４５８を軸として内側に折り曲げ自在に設けたものである。【選択図】図１
2015101376.tif 000002
【特許請求の範囲】
【請求項１】
底板と、
前記底板の上方に位置する口枠と、
前記底板と前記口枠との間で起立するように構成される複数の側板と、を備え、
前記複数の側板は、内側に折り曲げ可能な折曲板を含み、
前記折曲板は、合成樹脂板材の上下方向の中間部分に、互いに平行な一対の切り込みを形成し、前記一対の切り込みを軸として内側に折り曲げ自在に設けたものであることを特徴とする折り畳み式運搬用容器。
【請求項２】
前記折曲板の側端縁に取り付ける縦フレームを更に備え、
前記縦フレームは、上下方向の一箇所に回転軸を有し、前記回転軸を中心として内側に折り曲げ自在であることを特徴とする折り畳み式運搬用容器。
【発明の詳細な説明】
【技術分野】
【０００１】
本発明は、内側に折り曲げ可能な折曲板を備えた折り畳み式運搬用容器に関する。
【背景技術】
【０００２】
物品を収納する運搬用容器として、側板を折り畳んでコンパクト化することのできる折り畳み式の運搬用容器が用いられる。この種の運搬用容器が備える側板として、内側に向けてく字状に折れ曲がる折曲板がある。
【０００３】
特許文献１には、上下に二分割して設けた一対の分割側板を、これら分割側板とは別部材であるヒンジ部を介して互いに結合させ、折曲板を形成することが提案されている。
【先行技術文献】
【特許文献】
【０００４】
【特許文献１】実用新案登録第２５４６３１７号公報
【発明の概要】
【発明が解決しようとする課題】
【０００５】
前記した従来の運搬用容器が備える折曲板は、一対の分割側板が上下に隙間をあけて位置し、両分割側板間に別部材のヒンジ部が介在する構造であるから、内容物に押されたときにヒンジ部が外側に膨らみやすいという課題や、このヒンジ部が１８０°折れ曲がる構造であるため、ヒンジ部に破損が生じやすいという課題や、一対の分割側板間の隙間に内容物が引っ掛かりやすいという課題を有していた。
【０００６】
本発明は前記課題を解決するもので、ヒンジ部分が外側に膨らむことや、ヒンジ部分に破損が生じることや、ヒンジ部分に内容物が引っ掛かることを抑制するように設けた折り畳み式運搬用容器を提供することを、目的とする。
【課題を解決するための手段】
【０００７】
前記課題を解決するために、本発明を、下記構成を具備する折り畳み式運搬用容器とする。
【０００８】
本発明は、底板と、前記底板の上方に位置する口枠と、前記底板と前記口枠との間で起立するように構成される複数の側板と、を備える折り畳み式運搬用容器である。前記複数の側板は、内側に折り曲げ可能な折曲板を含む。前記折曲板は、合成樹脂板材の上下方向の中間部分に、互いに平行な一対の切り込みを形成し、前記一対の切り込みを軸として内側に折り曲げ自在に設けたものである。
【０００９】
本発明においては、前記折曲板の側端縁に取り付ける縦フレームを、更に備えることが好ましい。前記縦フレームは、上下方向の一箇所に回転軸を有し、前記回転軸を中心として内側に折り曲げ自在である。
【発明の効果】
【００１０】
本発明においては、折曲板が、合成樹脂板材の上下方向の中間部分に、互いに平行な一対の切り込みを形成し、前記一対の切り込みを軸として内側に折り曲げ自在に設けたものである。そのため、本発明では、折曲板のヒンジ部分が外側に膨らむことや、ヒンジ部分に破損が生じることや、ヒンジ部分に内容物が引っ掛かることが抑制されるという効果を奏する。
【図面の簡単な説明】
【００１１】
【図１】本発明の一実施形態の折り畳み式運搬用容器の、組み立て状態を示す斜視図である。
【図２】同上の折り畳み式運搬用容器が備える底板を示す斜視図である。
【図３】同上の底板を構成する下枠を示す斜視図である。
【図４】同上の底板を構成する底板材を示す斜視図である。
【図５】図２の要部断面図である。
【図６】同上の折り畳み式運搬用容器が備えるあおり板を示す斜視図である。
【図７】同上のあおり板を構成する合成樹脂板材を示す斜視図である。
【図８】同上の折り畳み式運搬用容器が備える折曲板を示す斜視図である。
【図９】同上の折曲板を示す側面図である。
【図１０】同上の折曲板の第一縦フレームを外した状態を示す要部斜視図である。
【図１１】同上の折曲板の第二縦フレームを外した状態を示す要部斜視図である。
【図１２】同上の折曲板を構成する合成樹脂板材を示す斜視図である。
【図１３】同上の折り畳み式運搬用容器の、折り畳み状態を示す斜視図である。
【図１４】同上の折曲板の、折り畳み状態を示す側面図である。
【発明を実施するための形態】
【００１２】
本発明を、添付図面に示す実施形態に基づいて説明する。
【００１３】
図１−図１４には、本発明の一実施形態の運搬用容器を示している。本実施形態の運搬用容器は折り畳み式であり、図１−図１２には組み立て状態の運搬用容器を示し、図１３−図１４には折り畳んだ状態の運搬用容器を示している。本文中で用いる上下、内外等の各方向は、組み立て状態の運搬用容器を基準とする。
【００１４】
図１等に示すように、本実施形態の運搬用容器は、底板２と、底板２の上方に位置する平面視矩形状の口枠１と、底板２の周縁部に固定される下枠２１と、底板２と口枠１との間で起立するように構成される都合四枚の側板と、を備える。四枚の側板は、一対のあおり板３と、一対の折曲板４とから成る。
【００１５】
折曲板４は、合成樹脂板材４５の上下方向の中間部分に、互いに平行な一対の切り込み４５８を形成し、一対の切り込み４５８を軸として内側に折り曲げ自在に設けたものである。折曲板４には、側端縁に縦フレーム４１を取り付けている。縦フレーム４１は、上下方向の一箇所に回転軸４１４を有し、回転軸４１４を中心として内側に折り曲げ自在である。
【００１６】
以下、本実施形態の各構成について、更に詳しく述べる。
【００１７】
底板２と、四枚の側板（即ち、一対のあおり板３と一対の折曲板４）は、いずれも合成樹脂製の中空構造板（合成樹脂板材）を用いて形成する。ここで用いる中空構造板は、例えば、ハニカム構造を有する合成樹脂製のコア材の一面側及び他面側に、それぞれ合成樹脂製のシートをラミネートした構造の板材である。その他、中空構造板の構造として、押し出し成形によってハーモニカの穴のように中空部分を一列に形成した構造や、柱体や錐体を多数並設した構造等の、多様な構造が採用可能である。更に、紙やアルミニウム等の合成樹脂以外の材料で中空構造板を形成することも可能である。
【００１８】
図２−図４には、底板２の全体又は一部を示している。
【００１９】
図に示すように、底板２を構成する底板材２５は、平面視矩形状の外形を有する合成樹脂板材であり、この底板材２５の外周縁を全周に亘って覆うように下枠２１で固定される。
【００２０】
下枠２１は、底板材２５が載置固定される矩形枠状の底枠部２１１と、底枠部２１１の外周縁から立設される側縁部２１２，２１３とを備える。側縁部２１２，２１３は、あおり板３の下端部を係止する一対の第一側縁部２１２と、折曲板４の下端部を固定する一対の第二側縁部２１３とから成る。
【００２１】
底枠部２１１の上面には、底板材２５が合致嵌合する矩形状に設けた突段部２１４と、底板材２５の固定に用いる複数の係合体２１６とを有する。係合体２１６は、底枠部２１１のうち突段部２１４よりも内側の領域の都合八か所において、上方に突出するように形成している。係合体２１６は、平面視長方形状の外形を有し、且つ、上下方向に貫通する平面視長方形状の貫通孔２１７を有する（図５参照）。
【００２２】
係合体２１６は、貫通孔２１７の上端部分に、互いに向かい合う方向に突出する一対のフック２１８を有する。一対のフック２１８は、貫通孔２１７の上端部の内周面のうち、短辺側の両側の部分から、内側に向けて突出する。
【００２３】
図４等に示すように、底板材２５は、上下方向（即ち、底板材２５の厚み方向）に貫通した複数の固定孔２５１を有する。固定孔２５１は、下枠２１に設けた係合体２１６と一対一に対応するように、長方形状である底板材２５の長辺側の両側縁に沿った都合八か所の部分に形成している。固定孔２５１は、係合体２１６が嵌り込む平面視長方形状の外形を有する。
【００２４】
底板材２５と下枠２１との固定には、固定具５である凸状の底板固定具５１を用いる。底板固定具５１は、底板材２５の固定孔２５１内に嵌め込んだ係合体２１６に対して、上方から係合させるものである。
【００２５】
図５の断面図に示すように、底板固定具５１は、係合体２１６の貫通孔２１７内に嵌り込む突起部５１１と、突起部５１１と一体に形成される頭部５１２とを有する。突起部５１１は、頭部５１２から一方向に突出するように形成される。底板固定具５１は、突起部５１１と頭部５１２との境界部分の外周面に、係合溝５１３を有する。係合溝５１３は、係合体２１６のフック２１８が係合する部分である。
【００２６】
底板材２５を下枠２１に固定するには、まず、適宜箇所に置いた下枠２１の底枠部２１１上に、突段部２１４内に嵌り込むように底板材２５を載置する。このとき、底枠部２１１に設けた八か所の係合体２１６が、底板材２５に設けた八か所の固定孔２５１内に、一対一で嵌り込む。次いで、固定孔２５１に嵌入した係合体２１６の貫通孔２１７に対して、それぞれの上方から底板固定具５１の突起部５１１側を挿入する。
【００２７】
貫通孔２１７内に突起部５１１が挿入された底板固定具５１は、係合体２１６に設けた両側のフック２１８が係合溝５１３に弾性的に係合することで、抜け止めされる。抜け止めされた底板固定具５１は、頭部５１２の外周部分が底板材２５の上面に当たる状態となり、頭部５１２と底枠部２１１との間で底板材２５を挟持固定する。
【００２８】
上記のように固定した底板材２５においては、固定孔２５１及びこれに挿入される係合体２１６が、ともに平面視長方形状の外形を有する。長方形状である固定孔２５１は、その長辺が、長方形状である底板材２５及び下枠２１の長辺と平行になるように設けている。固定孔２５１の短辺は、底板材２５及び下枠２１の短辺と平行になる。同様に、長方形状である係合体２１６は、その長辺が、底板材２５及び下枠２１の長辺と平行になるように設けている。係合体２１６の短辺は、底板材２５及び下枠２１の短辺と平行になる。
【００２９】
したがって、底板材２５に大きな荷重が掛かって撓むような場合でも、底板材２５の固定孔２５１と下枠２１の係合体２１６とは、互いの長辺側の面同士（或いは互いの短辺側の面同士）が当たり、係合体２１６との面接触によって固定孔２５１の変形が抑制される。固定孔２５１の変形を抑えることで、底板材２５が外れるような事態が防止される。
【００３０】
底板固定具５１の係合体２１６に対する係合の強さは、フック２１８と係合溝５１３の係合幅（係合代）を広くすることや、フック２１８と係合溝５１３が全周に亘って係合するように設けることで、更に強く設定することが可能である。底板固定具５１の係合を強くすることで、底板材２５が更に外れにくくなる。
【００３１】
底板固定具５１や係合体２１６の形状は、円形等の他の形状に設けることも可能である。底板固定具５１と係合体２１６を係合させる箇所（つまり、係合溝５１３とフック２１８が係合する箇所）も、前記したような底板材２５の上面近傍の箇所に限らず、底板材２５の下面近傍の箇所で底板固定具５１と係合体２１６が係合するように設けることも可能である。また、底板材２５と下枠２１の固定手段として、熱溶着や超音波溶着等の他の手段を採用することも可能である。或いは、底板材２５と下枠２１を、射出成形による一体成形品で構成することも可能である。
【００３２】
図６−図７には、あおり板３の全体又は一部を示している。
【００３３】
図に示すように、あおり板３は、合成樹脂製の中空構造板である合成樹脂板材３５の端縁部に、合成樹脂製のフレーム３１，３２を固定したものである。フレーム３１，３２は、合成樹脂板材３５の側端縁部に固定される一対の縦フレーム３１と、合成樹脂板材３５の下端縁部に固定される横フレーム３２とから成る。
【００３４】
縦フレーム３１と横フレーム３２の合成樹脂板材３５への固定には、固定具５である内側固定具５２と外側固定具５３を用いる。内側固定具５２と外側固定具５３は、内側と外側で対をなすピン状の部材である。縦フレーム３１の合成樹脂板材３５への固定は、合成樹脂板材３５と縦フレーム３１に設けた貫通孔を介して内側固定具５２と外側固定具５３を挿入し、内側及び外側固定具５２，５３に設けた係合溝に、縦フレーム３１の貫通孔の外周端部（肉厚部分）が嵌り込むことで行う。内側固定具５２と外側固定具５３を互いに係合させる方法でもよい。横フレーム３２の固定においても、内側固定具５２と外側固定具５３を用いて同様に行う。後述するように、他の箇所の固定においても、同様の内側固定具５２と外側固定具５３を用いる。
【００３５】
横フレーム３２には、底板２に対して（即ち、底板２の一部を構成する下枠２１に対して）係脱自在に係止する係止部３２１を設けている。係止部３２１は、横フレーム３２において左右に距離をあけて一対成形されている。一対の係止部３２１には、下枠２１の第一側縁部２１２の内面に設けた一対の係止片２１５（図２参照）が、それぞれ着脱自在に係止される。
【００３６】
あおり板３の合成樹脂板材３５は、上端縁部３５１と、これより下側の部分である本体部３５２とが、一直線状の切り込み３５３を介して揺動自在に連結した構造である（図７参照）。換言すれば、合成樹脂製である合成樹脂板材３５の外面側から切り込み３５３を形成することで、この合成樹脂板材３５を上端縁部３５１と本体部３５２に区分けしている。上端縁部３５１は口枠１側に固定する部分である。本体部３５２には、一対の縦フレーム３１と横フレーム３２を固定する。縦フレーム３１と横フレーム３２は、凹凸形状の噛み合いによって互いに係合するように設けている。上端縁部３５１の固定には、内側固定具５２と外側固定具５３を用いる。
【００３７】
合成樹脂板材３５の本体部３５２には、外側から指を引っ掛けることのできる把持部３５４と、引掛部３５５を設けている。把持部３５４は、上端縁部３５１の近傍箇所に設け、引掛部３５５は、横フレーム３２の近傍箇所に設けている。本体部３５２を幅方向（左右方向）に三分割したとき、上側の把持部３５４は中央部分に位置し、下側の引掛部３５５は両端部分に位置する。把持部３５４と引掛部３５５はそれぞれ、合成樹脂板材３５に設けた貫通孔に持ち手材６を嵌め込み固定した構造である。
【００３８】
上記のように形成したあおり板３においては、口枠１に対してあおり板３が揺動自在に連結される。そして、あおり板３の下端縁部に、底板２に対して係脱自在に係止する一対の係止部３２１が位置する。あおり板３のうち、係止部３２１の近傍となる箇所には、下側の引掛部３５５が位置する。
【００３９】
したがって、組み立て状態（図１参照）において、あおり板３の底板２との係止が不意に外れ、あおり板３が内側に回転した場合には、下側の引掛部３５５に指を掛けて外側に引っ張り、あおり板３を外側にむけて回転させることで、あおり板３の係止部３２１に、下枠２１の係止片２１５を簡単に係止させることができる。
【００４０】
この構造により、外部からの衝撃であおり板３が外れたときは、外側から引掛部３５５に指を掛けて引っ張るだけで、あおり板３を元の係止位置にまで簡単に戻すことができる。
【００４１】
本実施形態では、下側の引掛部３５５を、あおり板３の本体部３５２のうち下側から１／４の領域内に設けているが、あおり板３の少なくとも下半分の領域に設けた構造であればよい。
【００４２】
あおり板３における把持部３５４と引掛部３５５の位置は、折り畳み状態（図１３参照）において、他方のあおり板３の縦フレーム３１や横フレーム３２と重ならない位置に設ける。これにより、折り畳み状態での運搬用容器の高さが抑えられる。更に、本実施形態では、一対のあおり板３に設けた把持部３５４と引掛部３５５が、折り畳み状態で互いに重ならないように設けている。これにより、折り畳み状態での運搬用容器の高さが一層抑えられる。
【００４３】
あおり板３の構造は、中空構造の合成樹脂板材３５に縦フレーム３１と横フレーム３２を固定する構造に限定されず、射出成形によって各フレーム３１，３２を一体に成形し、この一体成形品を合成樹脂板材３５に固定する構造や、射出成形によって四角形状の枠体を一体に成形し、この一体成形品を合成樹脂板材３５の外周を覆うように固定する構造や、或いは、これらフレームや枠体を含む形であおり板３全体を射出成形により一体に成形する構造を採ることも可能である。
【００４４】
また、把持部３５４と引掛部３５５の構造も、貫通孔の構造に限らず、貫通しないように外面側から凹ませた構造等の、他の構造を用いることも可能である。把持部３５４や引掛部３５５の個数は、それぞれ単一でもよいし、或いは複数でもよい。持ち手材６を取り付けずに把持部３５４と引掛部３５５を形成することも可能であるが、本実施形態のように持ち手材６を取り付けた場合には、中空構造を有する合成樹脂板材３５の端面が露出しないので、切粉が出ないという効果や、手に擦り傷がつかないという効果がある。また、持ち手材６の外周端のうち運搬用容器の内側となる部分は、合成樹脂板材３５との間で段差がなくなるように傾斜面に設けることが好ましい。これにより、運搬用容器に内容物を出し入れするときに、持ち手材６に内容物が引っ掛かることが防止されるという効果がある。持ち手材６を取り付けない場合でも、加熱刃で封止しながら端面処理を行うことで、同様の効果を得ることは可能である。
【００４５】
下側の引掛部３５５は、あおり板３を外側から叩いて折り畳むときに、円滑な作業を行うための目印ともなる。
【００４６】
つまり、あおり板３の下側部分のうち幅方向（左右方向）の一端側に位置する引掛部３５５を、外側から手で叩くことにより、この引掛部３５５の近傍にある係止部３２１と下枠２１との係合を解除することができる。同様に、あおり板３の下側部分の他端側に位置する引掛部３５５を、外側から手で叩くことにより、この引掛部３５５の近傍にある係止部３２１と下枠２１との係合を解除することができる。
【００４７】
また、あおり板３の下側の引掛部３５５は、複数段の棚に運搬用容器を並べたようなときには、上側の把持部３５４の代わりに、運搬用容器を引き出す作業のために好適に用いられる。つまり、作業者の顔の位置やそれより高い位置に運搬用容器が位置するときには、あおり板３の下端縁近傍に位置する引掛部３５５を把持したほうが、引き出し作業が行いやすい。特に、本実施形態では下側の引掛部３５５が左右に一対あるので、より安定的な引き出し作業が可能となる。
【００４８】
図８−図１２には、折曲板４の全体又は一部を示している。
【００４９】
折曲板４は、合成樹脂製の中空構造板である合成樹脂板材４５から成る。合成樹脂板材４５には、上端側の切り込み４５７と下端側の切り込み４５７とを、外面側から形成している。両側の切り込み４５７によって、合成樹脂板材４５は、上端縁部４５１と本体部４５２と下端縁部４５３に区分けされる。上端縁部４５１は、内側固定具５２と外側固定具５３を用いて口枠１に固定する部分である。下端縁部４５３は、内側固定具５２と外側固定具５３を用いて下枠２１の第二側縁部２１３に固定する部分である。
【００５０】
合成樹脂板材４５の本体部４５２には、上下方向の中間部分に、上下方向に隙間をあけて互いに平行な一対の切り込み４５８を形成している。切り込み４５８は、合成樹脂板材４５の内面側から形成したものであり、この一対の切り込み４５８をヒンジの軸として、本体部４５２は、内側に向けて略く字状に折れ曲がっていく（図１４参照）。
【００５１】
換言すると、本体部４５２は、一対の切り込み４５８を形成することで、上側の切り込み４５８よりも更に上側の部分である上部４５４と、上下の切り込み４５８間の部分である中間部４５５と、下側の切り込み４５８よりも更に下側の部分である下部４５６とに区分される。本体部４５２は、中間部４５５が内側に突出するように折れ曲がる。最終的には、図１４に示すように、中間部４５５に対して上部４５４が一方向に９０°折れ曲がり、中間部４５５に対して下部４５６が逆方向に９０°折れ曲がり、上部４５４と下部４５６が互いに平行に位置する状態となる。
【００５２】
更に本体部４５２には、両側の側端縁に縦フレーム４１を固定している。
【００５３】
縦フレーム４１は共に、上下方向の中間部分に回転軸４１４を有し、この回転軸４１４まわりに一軸回転する。
【００５４】
縦フレーム４１は、内側固定具５２と外側固定具５３を用いて本体部４５２の上部４５４に固定される第一縦フレーム４１１と、内側固定具５２と外側固定具５３を用いて本体部４５２の下部４５６に固定される第二縦フレーム４１２とを、回転自在に連結させたものである。第一縦フレーム４１１の下端部には、回転中心となる一対の突起４１５を一体に形成している（図１１参照）。一対の突起４１５は、第一縦フレーム４１１の下端部から外側に突出した位置に、それぞれ形成している。
【００５５】
第二縦フレーム４１２の上端部には、一対の突起４１５を回転自在に支持する一対の軸受け４１３を、一体に形成している（図１０参照）。一対の軸受け４１３は、第二縦フレーム４１２の上端部から外側に突出した位置に、それぞれ形成している。
【００５６】
第一縦フレーム４１１と第二縦フレーム４１２は、一対の突起４１５が、一対の軸受け４１３に一対一に嵌り込んだ状態で、回転自在に連結される。このとき、円柱状である突起４１５の中心を通る軸が、縦フレーム４１の回転軸４１４となる。回転軸４１４は、組み立て状態においては、合成樹脂板材４５の外面よりも外側に位置する。より具体的には、組み立て状態にある合成樹脂板材４５の中間部４５５の外側近傍に、回転軸４１４が位置する。
【００５７】
図１０−図１２等に示すように、合成樹脂板材４５の側端縁には、中間部４５５を跨いで上部４５４と下部４５６の一部にまで至る領域に、コ字状の切り欠きを設けている。この切り欠き部分に、第一縦フレーム４１１の突起４１５と、第二縦フレーム４１２の軸受け４１３とが、回転自在に連結された状態で位置する。なお、第一縦フレーム４１１側に軸受けを設け、この軸受けに支持される突起を第二縦フレーム４１２側に設けても構わない。
【００５８】
折曲板４の構造は、中空構造の合成樹脂板材４５に縦フレーム４１を固定する構造に限定されず、コ字状のフレームや四角形状の枠体を射出成形によって成形し、これを合成樹脂板材４５の外周を覆うように固定する構造等も、用いることができる。
【００５９】
縦フレーム４１の外周端のうち運搬用容器の内側となる部分は、合成樹脂板材４５との間で段差がなくなるように傾斜面に設けることが好ましい。これにより、運搬用容器に内容物を出し入れするときに、縦フレーム４１に内容物が引っ掛かることが防止されるという効果がある。
【００６０】
本実施形態の運搬用容器は、前記構造の口枠１、下枠２１、底板材２５、一対のあおり板３及び一対の折曲板４を連結させることで、上端の開口した箱型に組み立てられる（図１参照）。口枠１に対して更に蓋板を開閉自在に連結させることも可能である。
【００６１】
本実施形態の運搬用容器を折り畳むには、一対のあおり板３をそれぞれ内側に押し込んで下枠２１及び折曲板４との係合を解除し、両側のあおり板３を内側に回転させる。そして、一対の折曲板４の本体部４５２をそれぞれ内側に向けて略く字状に折り曲げていくことで、図１３に示すような折り畳み状態となる。
【００６２】
図１４に示すように、最終的にコ字型に折り畳んだ折曲板４においては、合成樹脂板材４５が有する本体部４５２の上部４５４と下部４５６が、隙間をあけて互いに平行に位置する。ここでの隙間は、上部４５４と下部４５６の間に介在する中間部４５５の寸法に対応した隙間となる。また、最終的に折り畳んだ折曲板４においては、一軸中心に連結される第一縦フレーム４１１と第二縦フレーム４１２とが、密着又は僅かな隙間をあけた状態で、互いに平行に位置する。第一縦フレーム４１１と第二縦フレーム４１２の回転軸４１４は、合成樹脂板材４５の中間部４５５を通る位置にある。
【００６３】
一対の切り込み４５８間の距離は、この切り込み４５８で形成されるヒンジ部分に大きな負荷が掛かることを防止するために、図１４のように折り畳んで密着させたときの第一縦フレーム４１１と第二縦フレーム４１２の肉厚と対応する距離に設けている。
【００６４】
本実施形態においては、折曲板４をなす合成樹脂板材４５が、合成樹脂製のコア材にシートを貼着した構造であり、切り込み４５８を入れて残った部分が前記シートとなるので、ヒンジ部分に破損や切れ目が入り難い構造になっている。このヒンジ部分を、破損や切れ目が更に入り難い構造とするには、前記シートの延伸方向と、切り込み４５８を入れる方向とを、互いに直交するように設けることが好ましい。
【００６５】
前記したように、本実施形態の運搬用容器は、底板２（底板材２５及び下枠２１）と、底板２の上方に位置する口枠１と、底板２と口枠１との間で起立するように構成される複数の側板とを備える折り畳み式運搬用容器である。複数の側板は、内側に折り曲げ可能な折曲板４を含む。折曲板４は、合成樹脂板材４５の上下方向の中間部分に、互いに平行な一対の切り込み４５８を形成し、一対の切り込み４５８を軸として内側に折り曲げ自在に設けたものである。
【００６６】
本実施形態の運搬用容器によれば、折曲板４は、合成樹脂板材４５に形成した一対の切り込み４５８がヒンジの軸として機能するので、このヒンジ部分が外側に膨らむことが抑えられる。更に、一対の切り込み４５８がそれぞれ９０°折れ曲がった状態で最終的に折り畳まれるので、従来のように一つのヒンジ部分が１８０°折れ曲がる構造に比べて、ヒンジ部分に破損が生じることも抑えられる。更に、ヒンジ部分は切り込み４５８で形成されるため、ヒンジ部分に内容物が引っ掛かることも抑えられる。
【００６７】
また、本実施形態の運搬用容器においては、折曲板４の側端縁に取り付ける縦フレーム４１を、更に備えている。縦フレーム４１は、上下方向の一箇所に回転軸４１４を有し、回転軸４１４を中心として内側に折り曲げ自在である。
【００６８】
本実施形態の運搬用容器によれば、合成樹脂板材４５から成る折曲板４を、側端縁に取り付けた縦フレーム４１によって更に補強することができる。しかも、縦フレーム４１は回転軸４１４中心に折り曲げ自在であり、合成樹脂板材４５に追従して折れ曲がるため、折り畳み作業の円滑性も確保される。
【００６９】
側板に固定する各フレームの外周端のうち、運搬用容器の内側に位置する部分を傾斜面とし、合成樹脂板材との段差をなくした場合には、運搬用容器から内容物を取り出すときにフレームに引っ掛かることが防止される。
【００７０】
以上、本発明を添付図面に示す実施形態に基づいて説明したが、本発明は前記実施形態に限定されるものではない。本発明の意図する範囲内であれば、適宜の設計変更を行うことが可能である。
【００７１】
例えば、運搬用容器の底板２、あおり板３及び折曲板４に用いる合成樹脂板材は、互いの肉厚や中空構造が異なる構造であってもよい。具体的には、あおり板３は、折り畳むときに手で叩いて係合を解除する部分であるから、折曲板４よりも肉厚に設けることで破損防止につながる。底板２は、荷重が掛かる部分であるから、折曲板４よりも肉厚に設けることや、折曲板４及びあおり板３よりも肉厚に設けることで、破損防止につながる。
【００７２】
また、あおり板３と底板２の両方又は一方を、曲げ強度の方向性が小さいハニカム状の中空構造とし、折曲板４を、曲げ強度の方向性が大きいハーモニカ状の中空構造とした場合には、破損防止と低コスト化を両立することができる。なお、本実施形態のように、固定具に設けた係合溝をフレームに係合させる固定手段を用いれば、合成樹脂板材の肉厚が厚い場合や薄い場合でも、同一の固定具を用いてフレームを固定することが可能となる。
【符号の説明】
【００７３】
１      口枠
２      底板
４      折曲板
４１    縦フレーム
４１４  回転軸
４５    合成樹脂板材
４５８  切り込み
【図１】
2015101376.tif 000003
【図２】
2015101376.tif 000004
【図３】
2015101376.tif 000005
【図４】
2015101376.tif 000006
【図５】
2015101376.tif 000007
【図６】
2015101376.tif 000008
【図７】
2015101376.tif 000009
【図８】
2015101376.tif 000010
【図９】
2015101376.tif 000011
【図１０】
2015101376.tif 000012
【図１１】
2015101376.tif 000013
【図１２】
2015101376.tif 000014
【図１３】
2015101376.tif 000015
【図１４】
2015101376.tif 000016